(57)【要約】【課題】他の画像処理装置の表示画面と非連動な非同期モードである場合に、他の画像処理装置に現在表示されている表示画面を容易に確認する。【解決手段】画像処理装置１４の第１画像生成部４４は、当該画像処理装置１４の識別情報の現在表示頁の頁情報に対応する軌跡情報の、第1軌跡画像を生成する。第２画像生成部４６は、少なくとも当該画像処理装置１４の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成する。合成部４８は、第１軌跡画像と第２軌跡画像との合成画像を生成する。表示制御部５０は、合成画像を表示部に表示する制御を行う。【選択図】図２
2014033283.tif 000002
【特許請求の範囲】
【請求項１】
ネットワークに接続された複数の画像処理装置の識別情報を記憶する第１記憶部と、
表示画面上の軌跡を示す軌跡情報と頁情報とを対応づけて記憶する第２記憶部と、
前記識別情報と、前記識別情報によって特定される画像処理装置の表示画面に現在表示中の頁を示す現在表示頁と、他の画像処理装置の表示画面に連動して表示画面を変更する同期モードまたは他の画像処理装置の表示画面に非連動とする非同期モードの何れかを示す同期情報と、現在表示頁の頁変更時刻と、を対応づけて記憶する第３記憶部と、
当該画像処理装置の識別情報の現在表示頁の頁情報に対応する軌跡情報の、第1軌跡画像を生成する第１画像生成部と、
少なくとも当該画像処理装置の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成する第２画像生成部と、
前記第１軌跡画像と、前記第２軌跡画像と、の合成画像を生成する合成部と、
前記合成画像を表示部に表示する制御を行う表示制御部と、
を備えた画像処理装置。
【請求項２】
前記第２画像生成部は、少なくとも当該画像処理装置の同期情報が非同期モードである場合に、前記表示形態として、同期情報が同期モードであり且つ頁変更時刻が最新の識別情報の現在表示頁の頁情報に対応する軌跡情報の軌跡画像を、該軌跡画像が最新の頁変更時刻の画像であることを示す予め定めた色枠画像内に示す第２軌跡画像を生成する、請求項１に記載の画像処理装置。
【請求項３】
前記第２画像生成部は、前記第１軌跡画像を縮小したサイズの前記第２軌跡画像を生成する、請求項１または請求項２に記載の画像処理装置。
【請求項４】
変更後の同期情報、及びモード変更した画像処理装置の識別情報を含むモード変更指示を取得する取得部と、
前記モード変更指示に含まれる同期情報を、該モード変更指示に含まれる識別情報に対応する同期情報として前記第３記憶部に記憶する更新部と、
を更に備えた、請求項１〜請求項３の何れか１項に記載の画像処理装置。
【請求項５】
前記取得部は、最新の軌跡情報、及び該軌跡情報の軌跡の示された表示画面の頁情報を含む軌跡更新指示を更に取得し、
前記更新部は、前記軌跡更新指示に含まれる軌跡情報を、該軌跡更新指示に含まれる頁情報に対応づけて前記第２記憶部に記憶する、
請求項４に記載の画像処理装置。
【請求項６】
前記取得部は、変更後の頁、表示画面が頁変更された画像処理装置の識別情報、及び頁変更時刻、を含む頁変更指示を更に取得し、
前記更新部は、前記頁変更指示に含まれる変更後の頁を現在表示頁として、該頁変更指示に含まれる識別情報に対応づけて前記第３記憶部に記憶する、
請求項４または請求項５に記載の画像処理装置。
【請求項７】
ネットワークに接続された複数の画像処理装置の識別情報を記憶する第１記憶部と、
表示画面上の軌跡を示す軌跡情報と頁情報とを対応づけて記憶する第２記憶部と、
前記識別情報と、前記識別情報によって特定される画像処理装置の表示画面に現在表示中の頁を示す現在表示頁と、他の画像処理装置の表示画面に連動して表示画面を変更する同期モードまたは他の画像処理装置の表示画面に非連動とする非同期モードの何れかを示す同期情報と、現在表示頁の頁変更時刻と、を対応づけて記憶する第３記憶部と、
を備えたコンピュータに実行させるための画像処理プログラムであって、
当該画像処理装置の識別情報の現在表示頁の頁情報に対応する軌跡情報の、第1軌跡画像を生成するステップと、
少なくとも当該画像処理装置の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成するステップと、
前記第１軌跡画像と、前記第２軌跡画像と、の合成画像を生成するステップと、
前記合成画像を表示部に表示する制御を行うステップと、
を前記コンピュータに実行させるための画像処理プログラム。
【請求項８】
サーバ装置と、前記サーバ装置にネットワークで接続された複数の画像処理装置と、を備えた画像処理システムであって、
前記画像処理装置は、
ネットワークに接続された複数の画像処理装置の識別情報を記憶する第１記憶部と、
表示画面上の軌跡を示す軌跡情報と頁情報とを対応づけて記憶する第２記憶部と、
前記識別情報と、前記識別情報によって特定される画像処理装置の表示画面に現在表示中の頁を示す現在表示頁と、他の画像処理装置の表示画面に連動して表示画面を変更する同期モードまたは他の画像処理装置の表示画面に非連動とする非同期モードの何れかを示す同期情報と、現在表示頁の頁変更時刻と、を対応づけて記憶する第３記憶部と、
変更後の同期情報、及びモード変更した画像処理装置の識別情報を含むモード変更指示を、前記サーバ装置から取得する第１取得部と、
前記モード変更指示に含まれる同期情報を、該モード変更指示に含まれる識別情報に対応する同期情報として前記第３記憶部に記憶する第１更新部と、
当該画像処理装置の識別情報の現在表示頁の頁情報に対応する軌跡情報の、第1軌跡画像を生成する第１画像生成部と、
少なくとも当該画像処理装置の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成する第２画像生成部と、
前記第１軌跡画像と、前記第２軌跡画像と、の合成画像を生成する合成部と、
前記合成画像を表示部に表示する制御を行う表示制御部と、
を備え、
前記サーバ装置は、
前記第１記憶部と、
前記第２記憶部と、
前記第３記憶部と、
前記モード変更指示を、複数の前記画像処理装置の少なくとも１つから取得する第２取得部と、
該モード変更指示に含まれる同期情報を、該モード変更指示に含まれる識別情報に対応する同期情報として前記第３記憶部に記憶する第２更新部と、
を備える、
画像処理システム。
【発明の詳細な説明】
【技術分野】
【０００１】
本発明は、画像処理装置、画像処理プログラム、及び画像処理システムに関する。
【背景技術】
【０００２】
従来、企業や教育機関、行政機関等における会議等において、大型ディスプレイに背景画像を表示させ、その上にユーザが文字や数字、図形等の描画画像を書き込み可能な電子黒板が利用されている。
【０００３】
このような電子黒板として、描画画面に描画された描画データを電子データ化し、通信回線を経由して他の遠隔地のホワイトボードへ送信するシステムが開示されている（例えば、特許文献１）。また、特許文献１では、該他の遠隔地のホワイトボードから送信されてきた電子データを受信し、描画データに変換して表示している。これによって、特許文献１では、遠隔地間における会議において、ホワイトボードへの入力情報の共有を図っている。
【０００４】
また、複数の拠点の内の１の拠点で表示画面が更新された場合、他の拠点に更新情報を反映させる、所謂同期モードと、他の拠点の表示画面とは非同期とする非同期モードと、を切り替えることも行われている。非同期モードは、例えば、ある拠点においてのみ、一時的に他の頁の表示画面を表示する場合等に用いられる。
【発明の概要】
【発明が解決しようとする課題】
【０００５】
しかし、従来では、ある拠点を非同期モードとした場合、非同期モードの該拠点においては、他の拠点の表示画面を確認することが出来なかった。
【０００６】
本発明は上述した課題を解決するものであり、他の画像処理装置の表示画面と非連動な非同期モードである場合に、他の画像処理装置に現在表示されている表示画面を容易に確認することができる、画像処理装置、画像処理プログラム、及び画像処理システムを提供することを目的とする。
【課題を解決するための手段】
【０００７】
上述した課題を解決し、目的を達成するために、本発明にかかる画像処理装置は、第１記憶部と、第２記憶部と、第３記憶部と、第１画像生成部と、第２画像生成部と、合成部と、表示制御部と、を備える。第１記憶部は、ネットワークに接続された複数の画像処理装置の識別情報を記憶する。第２記憶部は、表示画面上の軌跡を示す軌跡情報と頁情報とを対応づけて記憶する。第３記憶部は、前記識別情報と、前記識別情報によって特定される画像処理装置の表示画面に現在表示中の頁を示す現在表示頁と、他の画像処理装置の表示画面に連動して表示画面を変更する同期モードまたは他の画像処理装置の表示画面に非連動とする非同期モードの何れかを示す同期情報と、現在表示頁の頁変更時刻と、を対応づけて記憶する。第１画像生成部は、当該画像処理装置の識別情報の現在表示頁の頁情報に対応する軌跡情報の、第1軌跡画像を生成する。第２画像生成部は、少なくとも当該画像処理装置の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成する。合成部は、前記第１軌跡画像と、前記第２軌跡画像と、の合成画像を生成する。表示制御部は、前記合成画像を表示部に表示する制御を行う。
【０００８】
本発明の画像処理プログラムは、ネットワークに接続された複数の画像処理装置の識別情報を記憶する第１記憶部と、表示画面上の軌跡を示す軌跡情報と頁情報とを対応づけて記憶する第２記憶部と、前記識別情報と、前記識別情報によって特定される画像処理装置の表示画面に現在表示中の頁を示す現在表示頁と、他の画像処理装置の表示画面に連動して表示画面を変更する同期モードまたは他の画像処理装置の表示画面に非連動とする非同期モードの何れかを示す同期情報と、現在表示頁の頁変更時刻と、を対応づけて記憶する第３記憶部と、を備えたコンピュータに実行させるための画像処理プログラムであって、当該画像処理装置の識別情報の現在表示頁の頁情報に対応する軌跡情報の、第1軌跡画像を生成するステップと、少なくとも当該画像処理装置の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成するステップと、前記第１軌跡画像と、前記第２軌跡画像と、の合成画像を生成するステップと、前記合成画像を表示部に表示する制御を行うステップと、を前記コンピュータに実行させるための画像処理プログラムである。
【０００９】
本発明の画像処理システムは、サーバ装置と、前記サーバ装置にネットワークで接続された複数の画像処理装置と、を備えた画像処理システムである。画像処理装置は、第１記憶部と、第２記憶部と、第３記憶部と、第１取得部と、第１更新部と、第１画像生成部と、第２画像生成部と、合成部と、表示制御部と、を備える。第１記憶部は、ネットワークに接続された複数の画像処理装置の識別情報を記憶する。第２記憶部は、表示画面上の軌跡を示す軌跡情報と頁情報とを対応づけて記憶する。第３記憶部は、前記識別情報と、前記識別情報によって特定される画像処理装置の表示画面に現在表示中の頁を示す現在表示頁と、他の画像処理装置の表示画面に連動して表示画面を変更する同期モードまたは他の画像処理装置の表示画面に非連動とする非同期モードの何れかを示す同期情報と、現在表示頁の頁変更時刻と、を対応づけて記憶する。第１取得部は、変更後の同期情報、及びモード変更した画像処理装置の識別情報を含むモード変更指示を、前記サーバ装置から取得する。第１更新部は、前記モード変更指示に含まれる同期情報を、該モード変更指示に含まれる識別情報に対応する同期情報として前記第３記憶部に記憶する。第１画像生成部は、当該画像処理装置の識別情報の現在表示頁の頁情報に対応する軌跡情報の、第1軌跡画像を生成する。第２画像生成部は、少なくとも当該画像処理装置の同期情報が非同期モードである場合に、同期情報が同期モードであり且つ頁変更時刻が最新の識別情報の現在表示頁の頁情報に対応する軌跡情報の軌跡画像を、該軌跡画像が最新の頁変更時刻の画像であることを示す表示形態で示す第２軌跡画像を生成する。合成部は、前記第１軌跡画像と、前記第２軌跡画像と、の合成画像を生成する。表示制御部は、前記合成画像を表示部に表示する制御を行う。サーバ装置は、前記第１記憶部と、前記第２記憶部と、前記第３記憶部と、第２取得部と、第２更新部と、を備える。第２取得部は、前記モード変更指示を、複数の前記画像処理装置の少なくとも１つから取得する。第２更新部は、該モード変更指示に含まれる同期情報を、該モード変更指示に含まれる識別情報に対応する同期情報として前記第３記憶部に記憶する。
【発明の効果】
【００１０】
本発明によれば、他の画像処理装置の表示画面と非連動な非同期モードである場合に、他の画像処理装置に現在表示されている表示画面を容易に確認することができる、という効果を奏する。
【図面の簡単な説明】
【００１１】
【図１】図１は、第1の実施の形態に係る画像形成システムの模式図である。
【図２】図２は、情報処理端末の機能ブロック図である。
【図３】図３は、第１記憶部に記憶されたデータのデータ構造の一例を示す模式図である。
【図４】図４は、第２記憶部に記憶されたデータのデータ構造の一例を示す模式図である。
【図５】図５は、第３記憶部に記憶されたデータのデータ構造の一例を示す模式図である。
【図６】図６は、画像処理の手順を示すフローチャートである。
【図７】図７は、第１処理の手順を示すフローチャートである。
【図８】図８は、合成画像生成処理の手順を示すフローチャートである。
【図９】図９は、合成画像の一例を示す模式図である。
【図１０】図１０は、合成画像の一例を示す模式図である。
【図１１】図１１は、第２処理の手順を示すフローチャートである。
【図１２】図１２は、第３処理の手順を示すフローチャートである。
【図１３】図１３は、第４処理の手順を示すフローチャートである。
【図１４】図１４は、第５処理の手順を示すフローチャートである。
【図１５】図１５は、第６処理の手順を示すフローチャートである。
【図１６】図１６は、画像処理システムを示す模式図である。
【図１７】図１７は、第２の実施の形態に係るサーバ装置の構成を示す模式図である。
【発明を実施するための形態】
【００１２】
以下に添付図面を参照して、画像処理装置、画像処理プログラム、及び画像処理方法の一の実施の形態を説明する。
【００１３】
（第１の実施の形態）
図１は、本実施の形態に係る画像処理システムの模式図である。
【００１４】
図１に示すように、画像形成システム１０は、複数の画像処理装置１４（画像処理装置１４Ａ、画像処理装置１４Ｂ、画像処理装置１４Ｃ）が、ネットワーク１６を介して接続されている。
【００１５】
各画像処理装置１４は、表示画面上の入力部１８による軌跡を示す軌跡画像を、各画像処理装置１４間で同期または非同期で表示部に表示する。
【００１６】
ネットワーク１６は、公知の通信回線である。ネットワーク１６は、有線通信網であっても無線通信網であってもよい。ネットワーク１６は、例えば、ＬＡＮ（Ｌｏｃａｌ  Ａｒｅａ  Ｎｅｔｗｏｒｋ）やインターネットであり、Ｅｔｈｅｒｎｅｔ（登録商標）やＴＣＰ／ＩＰなどの通信プロトコルを利用する。なお、各画像処理装置１４を、公知の接続ケーブルで直接接続してもよい。
【００１７】
図２は、画像処理システム１０における、各画像処理装置１４Ａの機能ブロック図である。なお、図２では、一例として、画像処理装置１４の内の画像処理装置１４Ａの機能ブロック図を示したが、画像処理装置１４Ｂ及び画像処理装置１４Ｃについても同じ構成である。
【００１８】
なお、以下では、画像処理装置１４Ａ、画像処理装置１４Ｂ、及び画像処理装置１４Ｃを総称して説明する場合には、単に画像処理装置１４と称して説明する。
【００１９】
画像処理装置１４Ａは、ＣＰＵ（Ｃｅｎｔｒａｌ  Ｐｒｏｃｅｓｓｉｎｇ  Ｕｎｉｔ９）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）ＲＡＭ（Ｒａｎｄｏｍ  Ａｃｃｅｓｓ  Ｍｅｍｏｒｙ）等を備えた公知のコンピュータに、下記各機能部を実装した装置である。
【００２０】
図２に示すように、画像処理装置１４Ａは、プロセッサ２０と、ＲＯＭ２２と、通信部２６と、表示部２８と、記憶部３６と、ＲＡＭ２４と、を含み、通常のコンピュータを利用したハードウェア構成となっている。
【００２１】
プロセッサ２０は、ＣＰＵやＭＰＵ等の処理演算装置であり、ＷＩＮＤＯＷＳ（登録商標）シリーズ、ＵＮＩＸ（登録商標）、ＬＩＮＵＸ（登録商標）、ＴＲＯＮ、ＩＴＲＯＮ、μＩＴＲＯＮなどのＯＳを動作させ、これらのＯＳの管理下でアセンブラ、Ｃ、Ｃ＋＋、Ｊａｖａ（登録商標）、ＪａｖａＳｃｒｉｐｔ（登録商標）、ＰＥＲＬ、ＲＵＢＹ、ＰＹＴＨＯＮなどのプログラム言語で記述された本発明のプログラムを実行する。ＲＯＭ２２は、ＢＩＯＳやＥＦＩ等のブートプログラムなどが保存される不揮発性メモリである。
【００２２】
通信部２６は、ネットワーク１６を介して画像処理装置１４との間で各種データを送受信するための通信インターフェイスである。表示部２８は、表示画面等の各種画像を表示する。表示部２８には、公知のＬＣＤ（Ｌｉｑｕｉｄ  Ｃｒｙｓｔａｌ  Ｄｉｓｐｌａｙ）等が挙げられる。
【００２３】
入力部１８は、ユーザが各種操作入力を行う機能部である。入力部１８には、例えば、マウス、ボタン、リモコン、キーボード、マイク、及びこれらの１または複数を組み合せたものが挙げられる。
【００２４】
本実施の形態では、入力部１８は、少なくとも、表示部２８に表示された表示画面上の位置を指示する指示部材として機能する。
【００２５】
なお、画像処理装置１４Ａでは、入力部１８と表示部２８とを一体的に構成してもよい。この場合、入力部１８と表示部２８とを一体的に構成した、公知のタッチパネル付ＬＣＤ（Ｌｉｑｕｉｄ  Ｃｒｙｓｔａｌ  Ｄｉｓｐｌａｙ）等を用いればよい。
【００２６】
記憶部３６は、ハードディスクドライブ装置（ＨＤＤ）等の記憶媒体である。記憶部３６は、第１記憶部３６Ａ、第２記憶部３６Ｂ、及び第３記憶部３６Ｃを含む。なお、第１記憶部３６Ａ、第２記憶部３６Ｂ、及び第３記憶部３６Ｃは、別々のＨＤＤとして構成されていてもよいし、１つのＨＤＤ内の異なるメモリ領域であってもよい。
【００２７】
第１記憶部３６Ａは、画像処理システム１０において、電子会議に参加する画像処理装置１４の識別情報（ＩＤ）を記憶する。すなわち、第１記憶部３６Ａに記憶されている各識別情報は、画像処理システム１０において、現在電子会議に参加中の画像処理装置１４の識別情報を示す。
【００２８】
図３は、第１記憶部３６Ａに記憶されたデータのデータ構造の一例を示す模式図である。図３に示すように、第１記憶部３６Ａは、開催する電子会議名（図３では、会議室名として記載）と、該電子会議に参加する画像処理装置１４の識別情報（以下、ＩＤと称する場合がある）と、を対応づけて記憶する。
【００２９】
第２記憶部３６Ｂは、電子会議に参加する画像処理装置１４、すなわち、第１記憶部３６Ａに格納された各識別情報によって特定される画像処理装置１４によって作成された、表示画面上の軌跡を示す軌跡情報と、該軌跡の表示画面の頁を示す頁情報と、を対応づけて記憶する。すなわち、第２記憶部３６Ｂは、電子会議に参加中の画像処理装置１４に共通する情報として、頁毎の表示画面に含まれる軌跡情報を記憶する。
【００３０】
図４は、第２記憶部３６Ｂに記憶されたデータのデータ構造の一例を示す模式図である。図４に示すように、第２記憶部３６Ｂは、表示画面の軌跡を示す軌跡情報（図４では、軌跡情報を、「ストローク」と称して示している。図４に示すように、第２記憶部３６Ｂは、頁毎に、１または複数の軌跡情報（図４では、ストローク１〜ストローク６）を対応づけて記憶する。
【００３１】
第３記憶部３６Ｃは、画像処理装置１４の識別情報と、現在表示頁と、同期情報と、頁変更時刻と、を対応づけて記憶する。すなわち、第３記憶部３６Ｃは、各画像処理装置１４の現在表示頁、各画像処理装置１４の同期情報、及び各画像処理装置１４における現在表示頁の変更された時刻（頁変更時刻）を、記憶する。
【００３２】
現在表示頁は、対応する識別情報によって特定される画像処理装置１４で現在表示部に表示されている表示画面の頁を示す情報である（「カレントページ」と称される場合もある）。
【００３３】
同期情報は、画像処理システム１０における他の画像処理装置１４の表示画面に連動して表示画面を変更する同期モード、または、画像処理システム１０における他の画像処理装置１４の表示画面とは非連動とする非同期モードの何れかを示す。頁変更時刻は、対応する識別情報によって特定される画像処理装置１４で、対応する現在表示頁の表示画面に更新された時刻を示す情報である。
【００３４】
図５は、第３記憶部３６Ｃに記憶されたデータのデータ構造の一例を示す模式図である。図５に示すように、第３記憶部３６Ｃは、各画像処理装置１４の識別情報（図５では、Ａ〜Ｃ）毎に、現在表示されている現在表示頁と、同期情報と、頁変更時刻と、を対応づけて記憶する。
【００３５】
なお、第１記憶部３６Ａ、第２記憶部３６Ｂ、及び第３記憶部３６Ｃの各々に格納される各情報は、後述する処理によって適宜更新される。
【００３６】
図２に戻り、ＲＡＭ２４は、主記憶装置であり、本実施の形態の画像処理プログラムを実行するための実行空間を提供する。プロセッサ２０は、ソフトウェアプログラムや種々のデータなどを持続的に保持するためのハードディスク装置（図示せず）から、画像処理プログラムを読み出し、ＲＡＭ２４に展開して実行する。これによって、ＲＡＭ２４には、取得部３８、軌跡情報生成部４０、更新部４２、画像生成部４５、合成部４８、及び表示制御部５０が展開される。
【００３７】
軌跡情報生成部４０は、入力部１８によって指示された、表示画面上の該入力部１８による指示の軌跡に基づいて、該軌跡を示す座標情報の群からなる軌跡情報（ストローク）を生成する。
【００３８】
取得部３８は、他の画像処理装置１４等から通信部２６を介して各種情報を受信することで、該各種情報を取得する。また、取得部３８は、ユーザによる入力部１８の操作指示によって入力部１８から各種情報を取得する。
【００３９】
本実施の形態では、取得部３８は、画像処理装置１４Ａの入力部１８、または、ネットワーク１６を介して他の画像処理装置１４から、軌跡更新指示、頁変更指示、及びモード変更指示等を取得する。
【００４０】
軌跡更新指示は、画像処理装置１４の表示部２８の表示画面上の入力部１８による軌跡を示す軌跡情報の更新を指示するための指示信号である。軌跡更新指示は、画像処理装置１４の表示部２８に現在表示されている表示画面上の入力部１８による軌跡を示す軌跡情報（最新の軌跡情報）と、該表示画面の頁（頁情報）、及び軌跡更新を指示する指示信号を含む。
【００４１】
頁変更指示は、画像処理装置１４の表示部２８に現在表示されている表示画面の頁の変更を指示するための信号である。頁変更指示は、変更後の頁、表示画面が頁変更された画像処理装置１４の識別情報、頁変更時刻、及び頁変更を指示する指示信号を含む。なお、頁変更時刻は、該頁変更指示を送信した画像処理装置１４において、表示画面を該変更後の頁に変更した日時を示す。なお、該日時は、年月日及び時刻であってもよい。
【００４２】
モード変更指示は、画像処理装置１４の表示部２８に表示する表示画面の同期情報を、非同期モードまたは同期モードへ変更するための指示信号である。モード変更指示は、変更後の同期情報（非同期モードまたは同期モード）と、モード変更した画像処理装置１４の識別情報、及び同期情報の変更を指示する指示信号を含む。
【００４３】
更新部４２は、取得部３８で取得した各種情報を、記憶部３６に記憶することで、記憶部３６の各種情報を更新する。
【００４４】
具体的には、取得部３８が軌跡更新指示を取得した場合には、更新部４２は、軌跡更新指示に含まれる軌跡情報を、該軌跡更新指示に含まれる表示画面の頁に対応づけて第２記憶部３６Ｂに記憶する。これによって、第２記憶部３６Ｂは更新される。
【００４５】
また、取得部３８が頁変更指示を取得した場合には、更新部４２は、頁変更指示に含まれる変更後の頁を現在表示頁として、該頁変更指示に含まれる識別情報に対応づけて第３記憶部３６Ｃに記憶する。また、更新部４２は、該頁変更指示に含まれる頁変更時刻を、該識別情報に対応づけて第３記憶部３６Ｃに記憶する。これによって、更新部４２は、第３記憶部３６Ｃを更新する。
【００４６】
一方、取得部３８がモード変更指示を取得した場合には、更新部４２は、モード変更指示に含まれる同期情報を、該モード変更指示に含まれる識別情報に対応する同期情報として、第３記憶部３６Ｃを更新する。
【００４７】
画像生成部４５は、表示部２８の表示画面に表示する表示画像を生成する。画像生成部４５は、第１画像生成部４４及び第２画像生成部４６を含む。
【００４８】
第１画像生成部４４は、当該画像処理装置１４（該第１画像生成部４４の設けられている画像処理装置１４）において現在表示されている現在表示頁の軌跡情報の第１軌跡画像を生成する。例えば、表示対象の軌跡情報が、文字「Ｃ」を示す座標情報からなる場合には、第１画像生成部４４は、該座標情報によって示される各点を繋げた線状画像を第１軌跡画像として生成する。
【００４９】
詳細には、第１画像生成部４４は、当該画像処理装置１４Ａの同期情報が同期モードである場合には、第３記憶部３６Ｃに記憶されている識別情報の内、最新の頁変更時刻に対応する現在表示頁を読み取る。そして、第１画像生成部４４は、読み取った現在表示頁に対応する軌跡情報を、表示対象の軌跡情報として第２記憶部３６Ｂから読み取り、軌跡画像を生成する。
【００５０】
また、第１画像生成部４４は、当該画像処理装置１４Ａの同期情報が非同期モードである場合には、当該画像処理装置１４Ａの識別情報に対応する現在表示頁を第３記憶部３６Ｃから読み取る。そして、第１画像生成部４４は、読み取った現在表示頁に対応する軌跡情報を、表示対象の軌跡情報として第２記憶部３６Ｂから読み取り、軌跡画像を生成する。
【００５１】
第２画像生成部４６は、少なくとも当該画像処理装置１４Ａの同期情報が非同期モードである場合に、第２軌跡画像を生成する。なお、第２画像生成部４６は、当該画像処理装置１４Ａの同期情報が同期モードである場合についても、第２軌跡画像を生成してもよい。
【００５２】
第２軌跡画像は、画像処理装置１４Ａ以外の他の画像処理装置１４の内、同期情報が同期モードであり且つ頁変更時刻が最新の識別情報の現在表示頁の頁情報に対応する軌跡情報の軌跡画像を、同期モードの他の画像処理装置１４における最新の表示画像であることを示す表示形態で示す画像である。
【００５３】
この表示形態は、例えば、同期情報が同期モードの他の画像処理装置１４の識別情報に対応する色の色枠画像中に、該軌跡情報の軌跡画像を示した形態が挙げられる。また、この表示形態は、例えば、同期情報が同期モードの他の画像処理装置１４の識別情報を示す文字画像の示されるウィンドウ中に、該軌跡情報の軌跡画像を示した形態が挙げられる。
【００５４】
なお、この表示形態は、同期モードの他の画像処理装置１４における最新の表示画像であることを示す表示形態であればよく、上記の例に限定されない。
【００５５】
また、第２画像生成部４６は、表示されたときに第１軌跡画像より小さい画面となるように、第２軌跡画像を生成する。
【００５６】
なお、本実施の形態では、第２画像生成部４６は、画像処理システム１０に含まれる画像処理装置１４で作成された各頁毎の表示画像のサムネイル画像も作成する。
【００５７】
合成部４８は、第１画像生成部４４で生成された第１軌跡画像と、第２画像生成部４６で生成された第２軌跡画像と、を合成した合成画像を生成する。
【００５８】
表示制御部５０は、第１画像生成部４４で生成された第１軌跡画像、第２画像生成部４６で生成された第２軌跡画像、または合成画像等の各種画像を、表示部２８に表示する制御を行う。
【００５９】
次に、画像処理装置１４で実行する画像処理の手順を説明する。
【００６０】
図６は、画像処理装置１４で実行する画像処理の手順を示すフローチャートである。なお、一例として、画像処理装置１４Ａで実行する画像処理の手順を説明する。
【００６１】
まず、画像処理装置１４Ａのプロセッサ２０が、通信部２６及びネットワーク１６を介して、他の画像処理装置１４へ開始情報を送信する（ステップＳ１００）。開始情報とは、電子会議の開始を示す情報である。
【００６２】
開始情報を受信した各画像処理装置１４では、ユーザの入力部１８の操作指示によって電子会議への参加が指示された場合に、電子会議への参加を指示する参加指示情報と、自分の画像処理装置１４の識別情報と、を含む参加情報を、ネットワーク１６に接続されている開始情報の送信元の画像処理装置１４及び他の画像処理装置１４へ送信する。なお、開始情報を受信した各画像処理装置１４では、記憶部３６の第３記憶部３６Ｃにデータが格納されている場合には、格納されているデータの内、自分の画像処理装置１４の識別情報に対応する、現在表示されている現在表示頁と、同期情報と、頁変更時刻と、を更に含む、参加情報を送信する。
【００６３】
次に、画像処理装置１４Ａの取得部３８は、第３記憶部３６Ｃから、自分の画像処理装置１４Ａの識別情報と、該識別情報に対応する現在表示頁、同期情報、及び頁変更時刻を取得し（ステップＳ１０２）、他の画像処理装置１４へ送信する（ステップＳ１０６）。
【００６４】
次に、画像処理装置１４Ａの取得部３８は、他の画像処理装置１４から参加情報を受信するまで否定判断を繰り返す（ステップＳ１０８：Ｎｏ）。そして、ステップＳ１０８で肯定判断すると（ステップＳ１０８：Ｙｅｓ）、更新部４２は、受信した参加情報に含まれる識別情報を、第１記憶部３６Ａに記憶する（ステップＳ１１０）。また、更新部４２は、受信した参加情報に、画像処理装置１４の識別情報と共に、現在表示頁と、同期情報と、頁変更時刻と、が更に含まれる場合には、これらの情報を、第３記憶部３６Ｃに記憶する（ステップＳ１１０）。
【００６５】
次に、取得部３８は、入力部１８から軌跡更新指示を取得したか否かを判断する（ステップＳ１１２）。ステップＳ１１２で肯定判断すると（ステップＳ１１２：Ｙｅｓ）、ステップＳ１１４へ進む。ステップＳ１１４では、後述する第１処理を実行する（ステップＳ１１４）。
【００６６】
次に、プロセッサ２０は、電子会議を終了するか否かを判断する（ステップＳ１３６）。ステップＳ１３６では、例えば、ユーザの操作指示によって入力部１８を介して電子会議の終了を示す情報が入力されたか否かを判別することでステップＳ１３６の判断を行う。また、ステップＳ１３６では、例えば、取得部３８が、ネットワーク１６を介して他の画像処理装置１４から、電子会議の終了を示す情報を取得したか否かを判別することで、ステップＳ１３６の判断を行ってもよい。
【００６７】
ステップＳ１３６で否定判断すると（ステップＳ１３６：Ｎｏ）、上記ステップＳ１１２へ戻る。一方、ステップＳ１３６で肯定判断すると（ステップＳ１３６：Ｙｅｓ）、本ルーチンを終了する。
【００６８】
一方、ステップＳ１１２で否定判断すると（ステップＳ１１２：Ｎｏ）、ステップＳ１１６へ進む。ステップＳ１１６では、取得部３８が、入力部１８から頁変更指示を取得したか否かを判断する（ステップＳ１１６）。ステップＳ１１６で肯定判断すると（ステップＳ１１６：Ｙｅｓ）、ステップＳ１１８へ進み、後述する第２処理を実行し（ステップＳ１１８）、上記ステップＳ１３６へ進む。
【００６９】
上記ステップＳ１１６で否定判断すると（ステップＳ１１６：Ｎｏ）、ステップＳ１２０へ進む。ステップＳ１２０では、取得部３８が、入力部１８からモード変更指示を取得したか否かを判断する（ステップＳ１２０）。ステップＳ１２０で肯定判断すると（ステップＳ１２０：Ｙｅｓ）、詳細を後述する第３処理を実行する（ステップＳ１２２）。そして、ステップＳ１３６へ進む。
【００７０】
上記ステップＳ１２０で否定判断すると（ステップＳ１２０：Ｎｏ）、ステップＳ１２４へ進む。ステップＳ１２４では、取得部３８が、他の画像処理装置１４からモード変更指示を受信したか否かを判断する（ステップＳ１２４）。ステップＳ１２４で肯定判断すると（ステップＳ１２４：Ｙｅｓ）、ステップＳ１２６へ進み、詳細を後述する第４処理を実行する（ステップＳ１２６）。そして、ステップＳ１３６へ進む。一方、上記ステップＳ１２４で否定判断すると（ステップＳ１２４：Ｎｏ）、ステップＳ１２８へ進む。
【００７１】
次に、取得部３８は、他の画像処理装置１４から軌跡更新指示を受信したか否かを判断する（ステップＳ１２８）。ステップＳ１２８で肯定判断すると（ステップＳ１２８：Ｙｅｓ）、ステップＳ１３０へ進む。ステップＳ１３０では、後述する第５処理を実行する（ステップＳ１３０）。そして、上記ステップＳ１３６へ進む。
【００７２】
ステップＳ１２８で否定判断すると（ステップＳ１２８：Ｎｏ）、ステップＳ１３２へ進む。ステップＳ１３２では、取得部３８が、他の画像処理装置１４から頁変更指示を受信したか否かを判断する（ステップＳ１３２）。ステップＳ１３２で肯定判断すると（ステップＳ１３２：Ｙｅｓ）、ステップＳ１３４へ進み、後述する第６処理を実行し（ステップＳ１３４）、上記ステップＳ１３６へ進む。一方、上記ステップＳ１３２で否定判断した場合も（ステップＳ１３２：Ｎｏ）、上記ステップＳ１３６へ進む。
【００７３】
次に、上記第１処理（図６のステップＳ１１４参照）について説明する。
【００７４】
図７は、第１処理の手順を示すフローチャートである。
【００７５】
まず、更新部４２が、上記ステップＳ１１２で入力部１８から取得した軌跡更新指示に含まれる軌跡情報と、表示画面の頁と、を読み取り、該頁の頁情報に対応づけて該軌跡情報を記憶部３６に記憶することで、軌跡情報を更新し、第２記憶部３６Ｂを更新する（ステップＳ２００）。
【００７６】
次に、更新部４２は、ステップＳ２００で更新した、軌跡情報と、頁情報と、自分の画像処理装置１４の識別情報と、軌跡更新を指示する指示信号と、を含む軌跡更新指示を、第１記憶部３６Ａに記憶されている当該電子会議に参加中の識別情報によって特定される他の各画像処理装置１４へ送信する（ステップＳ２０２）。
【００７７】
次に、画像生成部４５が、表示部２８の表示画面に表示する合成画像を生成する（ステップＳ２０４）。
【００７８】
図８は、画像生成部４５が実行する合成画像生成処理の手順を示すフローチャートである。
【００７９】
まず、第１画像生成部４４が、表示対象の軌跡情報の第１軌跡画像を生成する（ステップＳ２７０）。具体的には、第１画像生成部４４は、まず、画像処理装置１４Ａの同期情報を第３記憶部３６Ｃから読み取る。そして、第１画像生成部４４は、画像処理装置１４Ａの同期情報が同期モードである場合には、第３記憶部３６Ｃに記憶されている識別情報の内、最新の頁変更時刻に対応する現在表示頁を読み取る。そして、第１画像生成部４４は、読み取った現在表示頁に対応する軌跡情報を、表示対象の軌跡情報として第２記憶部３６Ｂから読み取り、第１軌跡画像を生成する。
【００８０】
また、第１画像生成部４４は、画像処理装置１４Ａの同期情報が非同期モードである場合には、当該画像処理装置１４Ａの識別情報に対応する現在表示頁を第３記憶部３６Ｃから読み取る。そして、第１画像生成部４４は、読み取った現在表示頁に対応する軌跡情報を、表示対象の軌跡情報として第２記憶部３６Ｂから読み取り、第１軌跡画像を生成する。
【００８１】
次に、第２画像生成部４６が、第２軌跡画像を生成する（ステップＳ２７２）。詳細には、第２画像生成部４６は、少なくとも当該画像処理装置１４Ａの同期情報が非同期モードである場合に、第２軌跡画像を生成する。なお、第２画像生成部４６は、当該画像処理装置１４Ａの同期情報が同期モードである場合についても、第２軌跡画像を生成してもよい。
【００８２】
上述のように、第２軌跡画像は、画像処理装置１４Ａ以外の他の画像処理装置１４の内、同期情報が同期モードであり且つ頁変更時刻が最新の現在表示頁の頁情報に対応する軌跡情報を、同期モードの他の画像処理装置１４における最新の表示画像であることを示す表示形態で示す画像である。
【００８３】
次に、合成部４８が、ステップＳ２７０で作成された第１軌跡画像と、ステップＳ２７２で作成された第２軌跡画像と、を合成した合成画像を作成する（ステップＳ２７４）。そして、本ルーチンを終了する。
【００８４】
ステップＳ２０４（すなわち、ステップＳ２７０〜ステップＳ２７４）の処理によって、例えば、合成部４８は、図９に示す合成画像６０を作成する。
【００８５】
図９は、合成画像６０の一例を示す模式図である。
【００８６】
なお、図９に示す例では、第２画像生成部４６が第２軌跡画像としてのサムネイル画像を生成した場合を説明する。
【００８７】
図９に示すように、合成画像６０は、例えば、文字画像「Ｃ」を示す第１軌跡画像６４と、サムネイル画像６２と、を含む。サムネイル画像６２は、各頁の表示画像としての第１軌跡画像６２Ａ〜第１軌跡画像６２Ｅを示す画像を含む。また、サムネイル画像６２は、第１軌跡画像６２Ａ〜第１軌跡画像６２Ｅの内、例えば、第１軌跡画像６２Ａが、同期モードの他の画像処理装置１４における最新の表示画像であることを示す表示形態として、該第１軌跡画像６２Ａを、最新の表示画像であることを示す予め定めた色の枠線画像で囲んだ表示形態で示す、第２軌跡画像として示されている。
【００８８】
なお、図９に示す例では、当該画像処理装置１４Ａの表示画面に表示されている第１軌跡画像６２Ｃについても、該第１軌跡画像６２Ｃが自分の画像処理装置１４に表示されている表示画像であることを示す予め定めた色の枠線画像で囲んだ表示形態で示される。
【００８９】
また、合成部４８は、例えば、図１０に示す合成画像６０Ａを作成してもよい。
【００９０】
図１０に示す合成画像６０Ａは、図９に示す合成画像６０に加えて更に、第２軌跡画像６６をサムネイル画像６２とは別の場所に表示した形態である。図１０に示すように、第２軌跡画像６６は、同期モードの他の画像処理装置１４における最新の表示画像である第１軌跡画像６８を、該最新の表示画像であることを示す表示形態としての別ウィンドウ６６で示した画像である。
【００９１】
このため、ユーザに対して、操作中の画像処理装置１４が非同期モードである場合であっても、当該画像処理装置１４の表示画面に現在表示されている表示画像と共に、同期モードの他の画像処理装置１４における最新の表示画像を合わせて表示することができる。
【００９２】
図７に戻り、表示制御部５０は、ステップＳ２０４で生成された合成画像を表示部２８に表示する制御を行う（ステップＳ２０６）。そして、本ルーチンを終了する。
【００９３】
次に、上記第２処理（図６のステップＳ１１８参照）について説明する。
【００９４】
図１１は、第２処理の手順を示すフローチャートである。
【００９５】
まず、更新部４２が、上記ステップＳ１１６で入力部１８から取得した頁変更指示に含まれる、識別情報、変更後の頁、及び頁変更時刻を読み取り、該識別情報（すなわち、画像処理装置１４Ａの識別情報）に対応づけて、変更後の頁を現在表示頁として第３記憶部３６Ｃに記憶すると共に、該頁変更時刻を第３記憶部３６Ｃに記憶する。これによって、更新部４２が、第３記憶部３６Ｃにおける、画像処理装置１４Ａの現在表示頁情報及び頁変更時刻を更新する（ステップＳ２５０）。
【００９６】
次に、更新部４２は、ステップＳ１１６で受け付けた、変更後の頁、識別情報、頁変更時刻、及び頁変更を指示する指示信号を含む、頁変更指示を、第１記憶部３６Ａに記憶されている当該電子会議に参加中の識別情報によって特定される他の各画像処理装置１４へ送信する（ステップＳ２５２）。
【００９７】
次に、画像生成部４５が、表示部２８の表示画面に表示する合成画像を生成する（ステップＳ２５４）。ステップＳ２５４では、図８に示す表示画像生成処理を実行する。
【００９８】
次に、画像生成部４５は、ステップＳ２５４で生成された合成画像を表示部２８に表示する制御を行う（ステップＳ２５６）。そして、本ルーチンを終了する。
【００９９】
次に、上記第３処理（図６のステップＳ１２２参照）について説明する。
【０１００】
図１２は、第３処理の手順を示すフローチャートである。
【０１０１】
まず、更新部４２が、上記ステップＳ１２０で入力部１８から取得したモード変更指示に含まれる、変更後の同期情報（非同期モードまたは同期モード）と、当該画像処理装置１４Ａの識別情報、及び同期情報の変更を指示する指示信号を読み取り、該同期情報を該識別情報に対応づけて第３記憶部３６Ｃに記憶する（ステップＳ３００）。
【０１０２】
ステップＳ３００の処理によって、ユーザによる入力部１８の操作指示により、画像処理装置１４Ａの同期情報が変更された場合には、変更後の同期情報が第３記憶部３６Ｃに記憶される。
【０１０３】
次に、更新部４２は、上記ステップＳ１２０で取得したモード変更指示を、第１記憶部３６Ａに記憶されている当該電子会議に参加中の識別情報によって特定される他の各画像処理装置１４へ送信する（ステップＳ３０２）。
【０１０４】
次に、プロセッサ２０は、上記ステップＳ３００の処理によって、画像処理装置１４Ａの同期情報が、非同期モードから同期モードに変更されたか否かを判断する（ステップＳ３０４）。ステップＳ３０４で否定判断（ステップＳ３０４：Ｎｏ）した場合、本ルーチンを終了する。
【０１０５】
一方、ステップＳ３０４で肯定判断（ステップＳ３０４：Ｙｅｓ）した場合、ステップＳ３０６へ進む。
【０１０６】
ステップＳ３０６では、画像生成部４５及び合成部４８が、合成画像を生成する（ステップＳ３０６）。ステップＳ３０６では、図８に示す合成画像生成処理を実行する。
【０１０７】
次に、画像生成部４５は、ステップＳ３０６で生成された合成画像を表示部２８に表示する制御を行う（ステップＳ３０８）。そして、本ルーチンを終了する。
【０１０８】
次に、上記第４処理（図６のステップＳ１２６参照）について説明する。
【０１０９】
図１３は、第４処理の手順を示すフローチャートである。
【０１１０】
まず、更新部４２が、上記ステップＳ１２４で他の画像処理装置１４から受信したモード変更指示に含まれる、変更後の同期情報（非同期モードまたは同期モード）と、画像処理装置１４の識別情報、及び同期情報の変更を指示する指示信号を読み取り、該同期情報を該識別情報に対応づけて第３記憶部３６Ｃに記憶する（ステップＳ３１０）。そして、本ルーチンを終了する。
【０１１１】
ステップＳ３１０の処理によって、電子会議に参加中の他の画像処理装置１４において、同期情報が変更された場合に、変更に応じて該画像処理装置１４の同期情報を変更することができる。
【０１１２】
次に、上記第５処理（図６のステップＳ１３０参照）について説明する。
【０１１３】
図１４は、第５処理の手順を示すフローチャートである。
【０１１４】
まず、更新部４２が、上記ステップＳ１２８で他の画像処理装置１４から受信した軌跡更新指示に含まれる軌跡情報と、表示画面の頁と、を読み取り、該頁の頁情報に対応づけて該軌跡情報を記憶部３６に記憶することで、軌跡情報を更新し、第２記憶部３６Ｂを更新する（ステップＳ４００）。
【０１１５】
ステップＳ４００の処理によって、電子会議に参加中の他の画像処理装置１４において軌跡情報が更新された場合についても、随時、該当する頁の軌跡情報を更新することができる。
【０１１６】
次に、更新部４２は、上記ステップＳ１２８で受信した軌跡更新指示に含まれる識別情報に対応する同期情報は、同期モードであるか否かを判断する（ステップＳ４０２）。ステップＳ４０２の判断は、第３記憶部３６Ｃに記憶されている、該識別情報に対応する同期情報が、同期モードであるか否かを判別することで行う。
【０１１７】
ステップＳ４０２で否定判断すると（ステップＳ４０２：Ｎｏ）、本ルーチンを終了する。一方、ステップＳ４０２で肯定判断すると（ステップＳ４０２：Ｙｅｓ）、ステップＳ４０４へ進む。
【０１１８】
ステップＳ４０４では、更新部４２が、自分の画像処理装置１４Ａの同期情報は同期モードであるか否かを判断する（ステップＳ４０４）。ステップＳ４０４の判断は、第３記憶部３６Ｃに記憶されている、自分の画像処理装置１４Ａの識別情報に対応する同期情報が、同期モードであるか否かを判別することで行う。
【０１１９】
ステップＳ４０４で否定判断すると（ステップＳ４０４：Ｎｏ）、本ルーチンを終了する。一方、ステップＳ４０４で肯定判断すると（ステップＳ４０４：Ｙｅｓ）、ステップＳ４０６へ進む。
【０１２０】
ステップＳ４０６では、画像生成部４５及び合成部４８が、合成画像を生成する（ステップＳ４０６）。ステップＳ４０６の処理は、上記ステップＳ２０４（詳細は図８参照）と同様にして行う。
【０１２１】
次に、表示制御部５０は、ステップＳ４０６で生成された合成画像を表示部２８に表示する制御を行う（ステップＳ４０８）。そして、本ルーチンを終了する。
【０１２２】
次に、上記第６処理（図６のステップＳ１３４参照）について説明する。
【０１２３】
図１５は、第６処理の手順を示すフローチャートである。
【０１２４】
まず、更新部４２が、上記ステップＳ１３２で他の画像処理装置１４から受信した頁変更指示に含まれる、識別情報、変更後の頁、及び頁変更時刻を読み取り、該識別情報に対応づけて、変更後の頁を現在表示頁として第３記憶部３６Ｃに記憶すると共に、該頁変更時刻を第３記憶部３６Ｃに記憶する。これによって、更新部４２が、他の画像処理装置１４において表示頁の変更がされた場合に、第３記憶部３６Ｃに記憶されている該画像処理装置１４の現在表示頁情報及び頁変更時刻を更新する（ステップＳ４５０）。
【０１２５】
次に、更新部４２は、上記ステップＳ１３２で受信した頁変更指示に含まれる識別情報に対応する同期情報は、同期モードであるか否かを判断する（ステップＳ４５２）。ステップＳ４５２の判断は、第３記憶部３６Ｃに記憶されている、該識別情報に対応する同期情報が、同期モードであるか否かを判別することで行う。
【０１２６】
ステップＳ４５２で否定判断すると（ステップＳ４５２：Ｎｏ）、本ルーチンを終了する。一方、ステップＳ４５２で肯定判断すると（ステップＳ４５２：Ｙｅｓ）、ステップＳ４５４へ進む。
【０１２７】
ステップＳ４５４では、更新部４２が、自分の画像処理装置１４Ａの同期情報は同期モードであるか否かを判断する（ステップＳ４５４）。ステップＳ４５４の判断は、第３記憶部３６Ｃに記憶されている、自分の画像処理装置１４Ａの識別情報に対応する同期情報が、同期モードであるか否かを判別することで行う。
【０１２８】
ステップＳ４５４で否定判断すると（ステップＳ４５４：Ｎｏ）、本ルーチンを終了する。一方、ステップＳ４５４で肯定判断すると（ステップＳ４５４：Ｙｅｓ）、ステップＳ４５６へ進む。
【０１２９】
ステップＳ４５６では、画像生成部４５及び合成部４８が、合成画像を生成する（ステップＳ４５６）。ステップＳ４５６の処理は、上記ステップＳ２０４（詳細は図８参照）と同様にして行う。
【０１３０】
次に、表示制御部５０は、ステップＳ４５６で生成された合成画像を表示部２８に表示する制御を行う（ステップＳ４５８）。そして、本ルーチンを終了する。
【０１３１】
なお、上記では、画像処理装置１４Ａにおける処理を一例として説明したが、ネットワーク１６に接続された他の画像処理装置１４（本実施の形態では画像処理装置１４Ｂ、画像処理装置１４Ｃ）についても、同様の処理を行うことはいうまでもない。
【０１３２】
以上説明したように、本実施の形態の画像処理装置１４では、第１記憶部３６Ａが、ネットワーク１６を介して接続された、電子会議に参加する複数の画像処理装置１４の識別情報を記憶する。第２記憶部３６Ｂは、表示画面上の軌跡を示す軌跡情報と頁情報とを対応づけて記憶する。第３記憶部３６Ｃは、識別情報と、識別情報によって特定される画像処理装置１４の表示画面に現在表示中の頁を示す現在表示頁と、他の画像処理装置１４の表示画面に連動して表示画面を変更する同期モードまたは他の画像処理装置１４の表示画面に非連動とする非同期モードの何れかを示す同期情報と、現在表示頁の更新時刻と、を対応づけて記憶する。
【０１３３】
そして、第１画像生成部４４は、自分の画像処理装置１４における現在表示頁の頁情報に対応する軌跡情報の第1軌跡画像を生成する。また、第２画像生成部４６は、少なくとも当該画像処理装置１４の同期情報が非同期モードである場合に、同期情報が同期モードであり且つ更新時刻が最新の識別情報の現在表示頁の頁情報に対応する軌跡情報を、該軌跡情報の軌跡画像が同期モードで且つ最新更新時刻の画像であることを示す表示形態で示す第２軌跡画像を生成する。合成部４８は、第１軌跡画像と、第２軌跡画像と、の合成画像を生成する。表示制御部５０は、合成画像を表示部２８に表示する制御を行う。
【０１３４】
このため、本実施の形態の画像処理装置１４では、自分の画像処理装置１４が非同期モードである場合であっても、電子会議に参加中の他の画像処理装置１４の内、同期モードの画像処理装置１４において現在表示中の表示画面を確認することができる。
【０１３５】
従って、画像処理装置１４では、他の画像処理装置１４の表示画面と非連動な非同期モードである場合に、他の画像処理装置１４に現在表示されている表示画面を容易に確認することができる。
【０１３６】
（第２の実施の形態）
なお、上記実施の形態では、複数の画像処理装置１４をネットワーク１６を介して接続する場合を示したが、サーバ装置１２を更にネットワーク１６に接続し、各画像処理装置１４は、サーバ装置１２を介して上記軌跡更新指示、頁変更指示、モード変更指示の送受信を行ってもよい。
【０１３７】
図１６は、本実施の形態の画像処理システム１０Ａを示す模式図である。
【０１３８】
図１６に示すように、画像処理システム１０Ａはサーバ装置１２と、複数の画像処理装置１４と、がネットワーク１６を介して接続された構成となっている。
【０１３９】
図１７は、サーバ装置１２の構成を示す模式図である。サーバ装置１２は、プロセッサ２０、ＲＯＭ２２、ＲＡＭ２４Ａ、通信部２６、記憶部３６を備え、通常のコンピュータを利用したハードウェア構成となっている。通信部２６、プロセッサ２０、ＲＯＭ２２、記憶部３６は、第１の実施の形態と同様である。
【０１４０】
ＲＡＭ２４Ａは、取得部３８Ａ及び更新部４２Ａを備える。
【０１４１】
取得部３８Ａは、各画像処理装置１４から通信部２６を介して、軌跡更新指示、頁変更指示、及びモード変更指示を取得すると、第１記憶部３６Ａに記憶されている識別情報（ＩＤ）によって特定される各画像処理装置１４（すなわち、電子会議に参加中の画像処理装置１４）へ、取得した各指示を送信する。また、取得部３８Ａは、各画像処理装置１４から通信部２６を介して、軌跡更新指示、頁変更指示、及びモード変更指示を取得すると、取得したこれらの指示を更新部４２Ａへ出力する。
【０１４２】
更新部４２Ａは、取得部３８Ａで取得した各種情報を、記憶部３６に記憶することで、記憶部３６の各種情報を更新する。なお、更新部４２Ａは、取得部３８に替えて取得部３８Ａから各指示を受け付ける以外は、第１の実施の形態の更新部４２と同様の処理を行う。
【０１４３】
なお、本実施の形態における画像処理装置１４は、第１の実施の形態における画像処理装置１４が、他の画像処理装置１４へ直接送信していた軌跡更新指示、頁変更指示、及びモード変更指示を、サーバ装置１２を介して送信する以外は、第１の実施の形態と同様である。
【０１４４】
このように、各画像処理装置１４が、サーバ装置１２を介して、軌跡更新指示、頁変更指示、及びモード変更指示の送受信を行う構成とすることで、効率良く且つ迅速に、各画像処理装置１４における表示画面の更新を行うことができる。
【０１４５】
上述した実施の形態の画像処理装置１４で実行される画像処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０１４６】
また、上記実施の形態の画像処理装置１４で実行される画像処理プログラムを、インターネット等のネットワークに接続されたコンピュータ上に格納し、ネットワーク経由でダウンロードさせることにより提供するように構成してもよい。また、上記画像処理装置１４で実行される画像処理プログラムをインターネット等のネットワーク経由で提供または配布するように構成してもよい。
【０１４７】
また、上記実施の形態の画像処理装置１４で実行される画像処理プログラムを、ＲＯＭ等に予め組み込んで提供するように構成してもよい。
【０１４８】
上記実施の形態の画像処理装置１４で実行される画像処理プログラムは、上述した各部（取得部３８、軌跡情報生成部４０、更新部４２、画像生成部４５（第１画像生成部４４、第２画像生成部４６）、合成部４８、表示制御部５０）を含むモジュール構成となっており、実際のハードウェアとしてはＣＰＵ（プロセッサ）が上記記憶媒体から画像処理プログラムを読み出して実行することにより上記各部が主記憶装置上にロードされ、上記各部が主記憶装置上に生成されるようになっている。
【０１４９】
なお、本発明は、上述した実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。
【符号の説明】
【０１５０】
１０、１０Ａ  画像処理システム
１２  サーバ装置
１４  画像処理装置
３８、３８Ａ  取得部
４０  軌跡情報生成部
４２、４２Ａ  更新部
４４  第１画像生成部
４５  画像生成部
４６  第２画像生成部
４８  合成部
５０  表示制御部
【先行技術文献】
【特許文献】
【０１５１】
【特許文献１】特開２０００−１８８６５５号公報
【図１】
2014033283.tif 000003
【図２】
2014033283.tif 000004
【図３】
2014033283.tif 000005
【図４】
2014033283.tif 000006
【図５】
2014033283.tif 000007
【図６】
2014033283.tif 000008
【図７】
2014033283.tif 000009
【図８】
2014033283.tif 000010
【図９】
2014033283.tif 000011
【図１０】
2014033283.tif 000012
【図１１】
2014033283.tif 000013
【図１２】
2014033283.tif 000014
【図１３】
2014033283.tif 000015
【図１４】
2014033283.tif 000016
【図１５】
2014033283.tif 000017
【図１６】
2014033283.tif 000018
【図１７】
2014033283.tif 000019